(57)【要約】【課題】  カメラコントロールユニット内に直流電圧をインターカム信号に重畳させ、テレビジョンカメラヘッドでインターカム信号に重畳された直流電圧の電圧値でテレビジョンカメラヘッドの電源制御をしていた。本発明は、インターカム信号に直流電圧を重畳しなくとも、テレビジョンカメラヘッドの電源制御を行うことを目的とする。【解決手段】  複合ケーブルを用いて、カメラコントロールユニットからテレビジョンカメラヘッドに電源を供給するテレビジョンカメラ装置において、カメラコントロールユニットはオペレート電源とスタンバイ電源を具備し、テレビジョンカメラヘッドは中間タップ付トランスを具備し、テレビジョンカメラヘッド使用時にはオペレート電源から電源を供給し、テレビジョンカメラヘッド待機時にはスタンバイ電源から電源を供給することを特徴とするテレビジョンカメラ装置である。【選択図】  図１
2005311553.tif 000002
【特許請求の範囲】
【請求項１】
複合ケーブルを用いて、カメラコントロールユニットからテレビジョンカメラヘッドに電源を供給するテレビジョンカメラ装置において、
前記カメラコントロールユニットはオペレート電源とスタンバイ電源を具備し、前記テレビジョンカメラヘッドは中間タップ付トランスを具備し、前記テレビジョンカメラヘッド使用時には前記オペレート電源から電源を供給し、前記テレビジョンカメラヘッド待機時にはスタンバイ電源から電源を供給することを特徴とするテレビジョンカメラ装置。
【請求項２】
請求項１記載のテレビジョンカメラ装置において、
前記テレビジョンカメラヘッドは供給される電源値に応じて、前記テレビジョンカメラヘッドの前記中間タップ付トランスの入力巻線を選択することを特徴とするテレビジョンカメラ装置。
【発明の詳細な説明】
【技術分野】
【０００１】
本発明は、テレビジョンカメラ装置に係り、特にテレビジョンカメラヘッドとカメラコントロールユニットを分離して使用する場合の電源に関するものである。
【背景技術】
【０００２】
従来、カメラコントロールユニットとテレビジョンカメラヘッド間で、複合ケーブルを用いて信号の双方向伝送や電源の供給を行うテレビジョンカメラ装置において、カメラコントロールユニットとテレビジョンカメラヘッド間の双方向通話用にインターカム信号があり、この内、カメラコントロールユニット側から伝送するインターカム信号に直流電圧を重畳し、この直流電圧値に応じてテレビジョンカメラヘッドの電源を制御していた（例えば、特許文献１参照。）。尚、カメラコントロールユニットとテレビジョンカメラヘッド間は、数ｍから数ｋｍ離れており、それぞれの操作者はインターカムによって連絡を行っている。
【特許文献１】特開２００３−１１０８９３号公報
【発明の開示】
【発明が解決しようとする課題】
【０００３】
上述の従来技術では、カメラコントロールユニット内で直流電圧をインターカム信号に重畳させ、テレビジョンカメラヘッドでインターカム信号に重畳された直流電圧の電圧値に応じてテレビジョンカメラヘッドの電源を制御していた。
【０００４】
本発明は、インターカム信号に直流電圧を重畳しなくとも、テレビジョンカメラヘッドの電源を制御することを目的とする。
【課題を解決するための手段】
【０００５】
本発明は、複合ケーブルを用いて、カメラコントロールユニットからテレビジョンカメラヘッドに電源を供給するテレビジョンカメラ装置において、前記カメラコントロールユニットはオペレート電源とスタンバイ電源を具備し、前記テレビジョンカメラヘッドは中間タップ付トランスを具備し、前記テレビジョンカメラヘッド使用時には前記オペレート電源から電源を供給し、前記テレビジョンカメラヘッド待機時にはスタンバイ電源から電源を供給することを特徴とするテレビジョンカメラ装置である。
【０００６】
また、上記のテレビジョンカメラ装置において、前記テレビジョンカメラヘッドは供給される電源値に応じて、前記テレビジョンカメラヘッドの前記中間タップ付トランスの入力巻線を選択することを特徴とするテレビジョンカメラ装置である。
【発明の効果】
【０００７】
本発明によれば、カメラコントロールユニットからテレビジョンカメラヘッドに、複合カメラケーブルを用いて電源を供給するテレビジョンカメラ装置において、テレビジョンカメラヘッドのスタンバイモード時の電源回路とオペレートモード時の電源回路を共通化することができる。
【発明を実施するための最良の形態】
【０００８】
以下、本発明によるテレビジョンカメラ装置の一実施例の動作について図１を用いて説明する。図１は本発明の一実施例のテレビジョンカメラ装置の構成を示すブロック図である。
【０００９】
１０１はテレビジョンカメラヘッドであり、２０１はカメラコントロールユニット（以下、ＣＣＵと称す）である。３０１はテレビジョンカメラヘッド１０１とＣＣＵ２０１を接続する複合カメラケーブルであり、例えばトライアックスケーブルである。２０２は電源入力端子であり交流又は直流電源を入力する。２０３は電源入力端子２０２から入力される電圧を例えばＡＣ２３０Ｖに電圧変換をする電圧変換部である。２０４は電圧変換部２０３から出力される電圧を例えばＤＣ３６Ｖに変換するスタンバイ電源部である。２０５は操作者が電圧変換部２０３とスタンバイ電源部２０４の選択を行う電源切替部であり、２０６は電源切替部２０５の選択信号により電圧変換部２０３とスタンバイ電源部２０４の切替えを行う切替部である。２０９はテレビジョンカメラヘッド１０１に伝送する映像信号、音声信号、制御信号及びインターカム信号等を入力するための入力端子部である。２１０はテレビジョンカメラヘッド１０１から伝送されてきた映像信号、音声信号、制御信号及びインターカム信号等を出力するための出力端子部である。２０７は入力端子部２０９から入力される映像信号、音声信号、制御信号及びインターカム信号等と切替部２０６から出力される電源を多重してテレビジョンカメラヘッド１０１に伝送することと、テレビジョンカメラヘッド１０１から伝送される映像信号、音声信号、制御信号及びインターカム信号等の多重化信号から映像信号、音声信号、制御信号及びインターカム信号等に分離する多重／分離部である。２０８は複合カメラケーブル３０１と接続するための接栓である。１１４は複合カメラケーブル３０１と接続するための接栓である。１０２は図示していない被写体からの光を集光するレンズ部であり、１０３はレンズ部１０２で集光した光を撮像する撮像部である。１１５は撮像部１０３から出力される映像信号、音声信号、制御信号及びインターカム信号等である。１１３は撮像部１０３から出力される映像信号、音声信号、制御信号及びインターカム信号等を多重してＣＣＵ２０１に伝送することと、ＣＣＵ２０１から伝送されてくる映像信号、音声信号、制御信号、インターカム信号及び電源等の多重化信号を映像信号、音声信号、制御信号、インターカム信号及び電源等に分離する多重／分離部である。１１６は多重／分離部１１３で分離した映像信号、音声信号、制御信号、インターカム信号等である。１１０は多重／分離部１１３で分離された電源を整流する整流部である。１１１は多重／分離部１１３で分離した電源を整流部１１０に供給する電源線である。１０９は整流部１１０の出力電圧値から１０８の切替器を制御する電圧切替制御部である。１０７は中間タップ付トランス部である。１０８は電圧切替制御部１０９の制御信号により中間タップ付トランス部１０７の巻線を切替える切替部である。１０５は中間タップ付トランス部１０７の出力電圧を直流電圧に変換するフィルタ部である。１０６はフィルタ部１０５の出力電圧を一定に保つために中間タップ付トランス部１０７を制御するための電源制御部である。１０４は撮像部１０３に必要な電源を供給するためのカメラ電源部である。図１の接栓１１４と複合カメラケーブル３０１と接栓２０８の結線は模式化して示した。
【００１０】
図１において、電源モードは、テレビジョンカメラヘッド１０１の少なくともレンズ部１０１と撮像部１０３の動作をさせるためのオペレートモードと、待機中に音声通信用のインターカム信号等を送受信するためのスタンバイモードと、電源をＯＦＦとするＯＦＦモードの３種類がある。ＯＦＦモードは電源をＯＦＦにするためのモードである。
【００１１】
先ず、オペレートモードについて説明する。
オペレートモードでは電源切替部２０５から切替器２０６に電圧変換部２０３の出力に接続する制御信号を出力する。
【００１２】
次にＣＣＵ２０１の電源入力端子２０２から入力された電圧は、電圧変換部２０３で例えばＡＣ２３０Ｖに変換される。変換されたＡＣ２３０Ｖは、切替器２０６を経由して多重／分離部２０７に入力され、多重／分離部２０７で入力端子部２０９から入力される映像信号、音声信号、制御信号及びインターカム信号等と多重化され接栓２０８から多重信号として出力される。出力された多重信号は、複合カメラケーブルを介して、テレビジョンカメラヘッド１０１の接栓１１４に入力される。接栓１１４に入力された多重信号は多重／分離部１１３で電源ＡＣ２３０Ｖ、映像信号、音声信号、制御信号及びインターカム信号等に分離される。分離された電源ＡＣ２３０Ｖは電源線１１１で整流部１１０に入力される。整流部１１０に入力された電源ＡＣ２３０Ｖは、整流部１１０でＤＣ２３０Ｖに変換される。変換されたＤＣ２３０Ｖは、電圧切替制御部１０９に入力され、電圧切替制御部１０９から出力される制御信号で切替器１０８を制御してａ端子側に切替を行い、ＤＣ２３０Ｖを中間タップ付トランス部１０７に入力される。入力されたＤＣ２３０Ｖは、中間タップ付トランス部１０７と電源制御部１０６でスイッチングパルスに変換され、中間タップ付トランス部１０７の２次巻線から電磁誘導により、巻数比に応じたスイッチングパルスが出力される。中間タップ付トランス部１０７の２次巻線から出力されたスイッチングパルスは、フィルタ部１０５に入力され、フィルタ部１０５から例えばＤＣ１２Ｖとして出力される。フィルタ部１０５から出力される電圧を、一定のＤＣ１２Ｖに保つため電源制御部１０６に入力され、電源制御部１０６から出力される制御信号で中間タップ付トランス部１０７が制御される。フィルタ部１０５から出力されたＤＣ１２Ｖは、カメラ電源部１０４に入力し、カメラ電源部１０４は撮像部１０３で使用する電源を生成して、撮像部１０３に電源を供給する。
【００１３】
次に、スタンバイモードについて説明する。
スタンバイモードの電源は、主に待機時、通信用のインターカム信号を送受信するためにＣＣＵ２０１からテレビジョンカメラヘッド１０１に供給する電源であるため、供給する電力は、オペレートモード時より少なくて良い。このため、例えばＤＣ３６Ｖを供給する。
【００１４】
スタンバイモードでは電源切替部２０５から切替器２０６にスタンバイ電源部２０４の出力に接続する制御信号を出力する。
次にＣＣＵ２０１の電源入力端子２０２から入力された電圧は、電圧変換部２０３で例えばＡＣ２３０Ｖに変換される。変換されたＡＣ２３０Ｖは、スタンバイ電源部２０４に入力され、スタンバイ電源部２０４でＤＣ３６Ｖに変換され、切替器２０６を経由して多重／分離部２０７に入力され、多重／分離部２０７で入出力端子部２０９から入力されるインターカム信号等と多重化され接栓２０８から多重信号として出力される。出力された多重信号は、複合カメラケーブルを介して、テレビジョンカメラヘッド１０１の接栓１１４に入力される。接栓１１４に入力された多重信号は多重／分離部１１３で電源ＤＣ３６Ｖとインターカム信号等に分離される。分離された電源ＤＣ３６Ｖは電源線１１１で整流部１１０に入力される。分離されたインターカム信号等は撮像部１０３に入力される。
【００１５】
整流部１１０に入力された電源ＤＣ３６Ｖは、整流部１１０でリップル等の除去が行われる。整流部１１０から出力されたＤＣ３６Ｖは、電圧切替制御部１０９に入力され、電圧切替制御部１０９から出力される制御信号で切替器１０８を制御してｂ端子側に切替えを行い、ＤＣ３６Ｖを中間タップ付トランス部１０７に入力される。入力されたＤＣ３６Ｖは、中間タップ付トランス部１０７と電源制御部１０６でスイッチングパルスに変換され、中間タップ付トランス部１０７の２次巻線から電磁誘導により、巻数比に応じたスイッチングパルスが出力される。中間タップ付トランス部１０７の２次巻線から出力されたスイッチングパルスは、フィルタ部１０５に入力され、フィルタ部１０５から例えばＤＣ１２Ｖとして出力される。フィルタ部１０５から出力される電圧を、一定のＤＣ１２Ｖに保つため電源制御部１０６に入力され、電源制御部１０６から出力される制御信号で中間タップ付トランス部１０７が制御される。フィルタ部１０５から出力されたＤＣ１２Ｖは、カメラ電源部１０４に入力し、カメラ電源部１０４は撮像部１０３で使用する電源を生成して、撮像部１０３に電源を供給する。
【００１６】
次に本発明の一実施例のテレビジョンカメラヘッド１０１の動作例について説明する。図２は、本発明の一実施例のテレビジョンカメラ装置のテレビジョンカメラヘッド１０１の詳細な構成を示すブロック図である。
【００１７】
１０７は中間タップ付トランス部の内部構成の一例を示している。４０１は整流部１１０の出力電圧を分圧する分圧部である。４０２は分圧部４０１の出力電圧と比較するための比較電圧発生部である。４０３は分圧部４０１と比較電圧発生部４０２の出力電圧を比較する電圧比較部である。他は、図１と同様なので省略する。
【００１８】
次に図２と図３を用いて本発明のオペレートモードの説明をする。
図３は、本発明の一実施例のテレビジョンカメラ装置のオペレートモードの一例を説明する波形図である。図３の波形図の縦軸は電圧であり、横軸は時間である。
【００１９】
図２において、オペレートモード時には、接栓１１４から入力された多重信号は多重／分離部１１３で電源ＡＣ２３０Ｖ、映像信号、音声信号、制御信号及びインターカム信号等に分離される。分離された電源ＡＣ２３０Ｖは電源線１１１で整流部１１０に入力される。整流部１１０に入力された電源は、整流部１１０でＤＣ２３０Ｖに変換される。変換されたＤＣ２３０Ｖは、図３のｅの波形に示す信号が電圧切替制御部１０９に入力される。入力されたＤＣ２３０Ｖは、分圧部４０１で例えば１／１０に分圧される。電圧切替制御部１０９に入力された直流電圧がＤＣ２３０Ｖの場合は、分圧部４０１でＤＣ２３Ｖに分圧される。比較電圧発生部４０２からは、例えばＤＣ１０Ｖを発生させる。電圧比較部４０３は、分圧部４０１から入力されるＤＣ２３Ｖと、比較電圧発生部４０２から入力されるＤＣ１０Ｖを電圧比較をする。電圧比較部４０３は、分圧部４０１からの出力電圧が比較電圧発生部４０２から出力電圧より高い時は、切替器１０８のａ端子側に切替える制御信号を出力する。整流部１１０から出力されたＤＣ２３０Ｖは、切替器１０８のａ端子側を経由して中間タップ付トランス部１０７のｅ端子側に入力される。中間タップ付トランス部１０７のＡとＢとＣの巻数比は、例えば１９４：３６：３６とし、電源制御部１０６から出力する制御信号で例えば１０ｋＨｚのＯＮとＯＦＦの比率でＯＮを１に対してＯＦＦを２とすると、図３の（ｂ）に示す波形となり、中間タップ付トランス部１０７のＣ巻線からは、図３の（ｃ）に示す１０ｋＨｚの３６Ｖｐ−ｐスイッチングパルスが、電磁誘導により出力される。出力された１０ｋＨｚの３６Ｖｐ−ｐスイッチングパルスは、フィルタ部１０５で整流すると図３の（ｄ）に示すＤＣ１２Ｖとなる。フィルタ部１０５の出力電圧をＤＣ１２Ｖに保つため、フィルタ部１０５の出力電圧を電源制御部１０６に入力し、電源制御部１０６から出力するＯＮとＯＦＦの比率を制御する。フィルタ部１０５から出力されたＤＣ１２Ｖは、カメラ電源部１０４に入力され、カメラ電源部１０４は撮像部１０３で使用する電源を生成して、撮像部１０３に電源を供給する。
【００２０】
次に図２と図４を用いて本発明のスタンバイモードについて説明をする。図４は、本発明の一実施例のテレビジョンカメラ装置のスタンバイモードを説明する波形図である。図４の波形図の縦軸は電圧であり、横軸は時間である。
【００２１】
スタンバイモード時には、接栓１１４から入力された多重信号は多重／分離部１１３で電源ＤＣ３６Ｖとインターカム信号等に分離される。分離された電源ＤＣ３６Ｖは電源線１１１で整流部１１０に入力される。整流部１１０に入力された電源ＤＣ３６Ｖは、整流部１１０で整流されても図４の（ａ）に示すＤＣ３６Ｖである。整流部１１０から出力されたＤＣ３６Ｖは、電圧切替制御部１０９に入力される。入力されたＤＣ３６Ｖは、分圧部４０１で例えば１／１０に分圧される。電圧切替制御部１０９に入力された直流電圧がＤＣ３６Ｖの場合は、分圧部４０１でＤＣ３．６Ｖに分圧される。比較電圧発生部４０２からは、例えばＤＣ１０Ｖを発生させる。電圧比較部４０３は、分圧部４０１から入力されるＤＣ３．６Ｖと、比較電圧発生部４０２から入力されるＤＣ１０Ｖを電圧比較する。電圧比較部４０３は、分圧部４０１からの出力電圧が比較電圧発生部４０２から出力電圧より低い時は、切替器１０８のｂ端子側に切替える制御信号を出力する。整流部１１０から出力されたＤＣ３６Ｖは、切替器１０８のｂ端子側を経由して中間タップ付トランス部１０７のｆ端子側に入力される。中間タップ付トランス部１０７のＡ：Ｂ：Ｃの巻数比は、例えば１９４：３６：３６とし、電源制御部１０６から出力する制御信号で例えば１０ｋＨｚのＯＮとＯＦＦの比率でＯＮを１に対してＯＦＦを２とすると、図４の（ｂ）に示す波形となり、中間タップ付トランス部１０７のＣ巻線からは、図４の（ｃ）に示す１０ｋＨｚの３６Ｖｐ−ｐスイッチングパルスが、電磁誘導により出力される。出力された１０ｋＨｚの３６Ｖｐ−ｐスイッチングパルスは、フィルタ部１０５で整流すると図４の（ｄ）に示すＤＣ１２Ｖとなる。フィルタ部１０５の出力電圧をＤＣ１２Ｖに保つため、フィルタ部１０５の出力電圧を電源制御部１０６に入力し、電源制御部１０６から出力するＯＮとＯＦＦの比率を制御する。フィルタ部１０５から出力されたＤＣ１２Ｖは、カメラ電源部１０４に入力され、カメラ電源部１０４は撮像部１０３で使用する電源を生成して、撮像部１０３に電源を供給する。
【００２２】
以上本発明について詳細に説明したが、本発明は、ここに記載されたテレビジョンカメラ装置に限定されるものではなく、上記以外のテレビジョンカメラ装置に広く適用することができることは言うまでもない。
【図面の簡単な説明】
【００２３】
【図１】本発明の一実施例を示すテレビジョンカメラ装置のブロック図。
【図２】本発明の一実施例を示すテレビジョンカメラ装置のテレビジョンカメラヘッドのブロック図。
【図３】本発明の一実施例のオペレートモードを説明する波形図。
【図４】本発明の一実施例のスタンバイモードを説明する波形図。
【符号の説明】
【００２４】
１０１：テレビジョンカメラヘッド、１０２：レンズ部、１０３：撮像部、１０４：カメラ電源部、１０５：フィルタ部、１０６：電源制御部、１０７：中間タップ付トランス部、１０８：切替器、１０９：電圧切替制御部、１１０：整流部、１１１：電源線、１１３：多重／分離部、１１４：接栓、１１５：映像・音声・制御信号等、１１６：映像・音声・制御信号等、２０１：カメラコントロールユニット（ＣＣＵ）、２０２：電源入力端子、２０３：電圧変換部、２０４：スタンバイ電源部、２０５：電源切替部、２０６：切替部、２０７：多重／分離部、２０８：接栓、２０９：入力端子、２１０：出力端子、３０１：複合カメラケーブル、４０１：分圧部、４０２：比較電圧発生部、４０３：電圧比較部。
【図１】
2005311553.tif 000003
【図２】
2005311553.tif 000004
【図３】
2005311553.tif 000005
【図４】
2005311553.tif 000006